(57)【要約】【課題】  フィルタの設置位置に着目し、優れたメンテナンス性（清掃性）を有するレンジフードを提供する。【解決手段】  空気の流れを発生させるファン４と、空気の流れの流路上であってファン４より上流側に存在し、空気の流れを通過させる円盤状のフィルタ１０と、フィルタ１０を回転させる電動機６と、フード内面５にファン４と連通する連通口２０とを備え、フィルタ１０は、連通口２０に設けられ、フィルタ１０の下面１１は、内面パネル５と面一となるレンジフード１。【選択図】  図１
2014178056.tif 000002
【特許請求の範囲】
【請求項１】
調理により発生する油煙をフードの内面パネルにより捕集するレンジフードであって、
空気の流れを発生させるファンと、
前記空気の流れの流路上であって前記ファンより上流側に存在し、前記空気の流れを通過させる円盤状のフィルタと、
前記フィルタを回転させる電動機と、
前記フード内面に前記ファンと連通する連通口と、を備え、
前記フィルタは、前記連通口に設けられ、
前記フィルタの下面は、前記内面パネルと面一となる、
レンジフード。
【請求項２】
前記フィルタは昇降手段を有し、前記フィルタの下面は、通常運転時には前記内面パネルより奥まって位置し、メンテナンス時には前記内面パネルと面一となることを特徴とする請求項１に記載のレンジフード。
【請求項３】
メンテナンス時に前記フィルタの上面に当接する当接部材を備えることを特徴とする請求項１または２に記載のレンジフード。
【請求項４】
前記フィルタは、メンテナンス時に回転しないように固定する固定手段を備えることを特徴とする請求項１乃至３のいずれかに記載のレンジフード。
【発明の詳細な説明】
【技術分野】
【０００１】
本発明は、レンジフードに関し、特にフィルタを回転させるレンジフードに関する。
【背景技術】
【０００２】
調理器の上方または周囲に設置され、調理により発生した煙や油粒子、臭気を捕集して排気または室内に循環するレンジフードには、捕集した空気から油を分離回収するためのフィルタが設けられている。このフィルタは、油捕集率を高めることがフィルタの下流側の送風機やダクト等の汚れを防止し、これらのメンテナンス周期の長期化や長寿命化に貢献することから、円盤状のフィルタを高速回転させることで高い油捕集率を実現したレンジフードを本出願人自ら出願している（特許文献１）。
【先行技術文献】
【特許文献】
【０００３】
【特許文献１】特願２０１１−２９０１５０
【発明の概要】
【発明が解決しようとする課題】
【０００４】
しかし、このようなレンジフードでは、フィルタの油捕集率は高いものの、構造の複雑さ故にフィルタ部分のメンテナンスが未だに手間がかかっている。
【０００５】
そこで、本発明は、フィルタの設置位置に着目することでレンジフードおよびフィルタの優れたメンテナンス性（清掃性）を有するレンジフードを提供することを目的とする。
【課題を解決するための手段】
【０００６】
上記課題を解決するために、調理により発生する油煙をフードの内面パネルにより捕集するレンジフードであって、空気の流れを発生させるファンと、空気の流れの流路上であってファンより上流側に存在し、空気の流れを通過させる円盤状のフィルタと、フィルタを回転させる電動機と、フード内面にファンと連通する連通口と、を備え、フィルタは、連通口に設けられ、フィルタの下面は内面パネルと面一となる、レンジフードが提供される。
これによれば、油分が付着するフィルタの下面と内面パネルとが面一となるため、清掃の際にはフード内面に付着した油分を拭き取る動作と一連に、フィルタ下面に付着した油分を拭き取ることが可能となり、清掃性が向上したレンジフードを提供することができる。
【０００７】
さらに、フィルタは昇降手段を有し、フィルタの下面は、通常運転時には内面パネルより奥まって位置し、メンテナンス時には内面パネルと面一となることを特徴としてもよい。
これによれば、フィルタが通常運転時には内面パネルより奥まった位置で回転するため、フィルタ下面に付着した油分がフード内面に油分が飛び散ることがなくなる。
【０００８】
さらに、メンテナンス時にフィルタの上面に当接する当接部材を備えることを特徴としてもよい。
これによれば、拭き掃除の際に、フィルタの上面からフィルタに当接することで、フィルタの変形や傾斜が抑えられるので、しっかりと拭き取ることができ、清掃性が向上する。
【０００９】
さらに、フィルタは、メンテナンス時に回転しないように固定する固定手段を備えることを特徴としてもよい。
これによれば、拭き掃除の際にフィルタが回転しないため、拭き取り易くなり清掃性が向上する。
【発明の効果】
【００１０】
以上説明したように、本発明によれば、レンジフードおよびフィルタの優れたメンテナンス性（清掃性）を有するレンジフードを提供することができる。
【図面の簡単な説明】
【００１１】
【図１】本発明に係る第一実施例のレンジフードの（Ａ）断面図、（Ｂ）第一変形例の断面図、（Ｃ）第二変形例の断面図。
【図２】本発明に係る第二実施例のレンジフードの（Ａ）通常運転時の断面図、（Ｂ）メンテナンス時の断面図。
【図３】本発明に係る第三実施例のレンジフードの（Ａ）通常運転時の断面図、（Ｂ）メンテナンス時の断面図。
【発明を実施するための形態】
【００１２】
以下では、図面を参照しながら、本発明に係る各実施例について説明する。
＜第一実施例＞
図１（Ａ）を参照し、本発明にかかるレンジフード１について説明する。図１は、本実施例におけるレンジフード１の断面図である。なお、本明細書における断面図は、レンジフードの設置時における垂直方向であって左右方向の断面における断面図であるが、これらは、垂直方向であって前後方向の断面と捉えてもよい。
【００１３】
レンジフード１は、下方または周囲で行われる調理によって発生する湯気や油煙等を捕集するための、上方に凹状の内面パネル５を内面に有する薄型のフード２を有する。フード２は、そのほぼ中央に位置する連通口２０付近で、排気ダクト７に接続された送風機ボックス３と連結される。送風機ボックス３は、内部にシロッコファンであり空気の流れを発生させるファン４を有する。従って、ファン４が稼働すると連通口２０は負圧となり、内面パネル５の下方の空気は連通口２０を通して吸入され、排気ダクト７を通して外部に排出される。即ち、連通口２０は、ファン４と連通し、ファン４が発生させた空気の流れの流路上であって、ファン４より上流側に位置する。
【００１４】
連通口２０には、空気の流れを通過させる孔を有する円盤状のフィルタ１０と、フィルタ１０の円盤の中心に回転軸を連結され、フィルタ１０を回転させる電動機６が設けられる。従って、レンジフード１は、ファン４が発生させる空気の流れの流路上であって、ファン４よりその流れの上流側に存在し、その空気の流れ（Ｄ１）を図視で下から上に通過させる孔を有する円盤状のフィルタ１０を、回転可能に備える。
【００１５】
内面パネル５の下方の空気は、調理によって発生する湯気や油煙等を含んでおり、ファン４が稼働すると、連通口２０に存在する、即ちファン４が発生させた空気の流れの流路上であってファン４より上流側に位置するフィルタ１０の孔に吸引され、その孔を通過することになる。フィルタ１０は、電動機６により回転可能に設けられており、レンジフード１が稼働（通常運転）すると、ファン４が空気の流れを発生させると共に電動機６がフィルタ１０を回転させる。レンジフード１は、フィルタ１０を回転させることにより、空気に含まれる油分を捕集する。
【００１６】
フィルタ１０の両側の表面における孔以外の部分は、突起物や凹凸がなく、平らで滑らかである平滑な面であることが望ましく、またフィルタ１０の表面には親水性塗装等の表面処理が施されていることが望ましいものである。そして、フィルタ１０は、フィルタ１０の下面１１が内面パネル５とほぼ面一となるように、具体的には、内面パネル５の表側表面とほぼ面一になるように設置される。これによれば、清掃の際にはフード内面に付着した油分を拭き取る動作と一連に、フィルタ下面に付着した油分を拭き取ることが可能となり、清掃性が向上したレンジフードを提供することができる。また、油分のほとんどはフィルタの表面で捕集され、フィルタの孔の側面で油分を捕集することはほとんどないので、フィルタの孔が油で目詰まりすることがさらに少なくなり、フィルタ自身の清掃／洗浄が容易になる。
【００１７】
本実施例では、図１（Ｂ）に示すように、フィルタ１０の外周縁を囲むように油分捕集部材６０を着脱自在に備えることが好ましい。調理等で発生した油分は、空気の流れと共に流されてフィルタ１０の下面付近に到達する。その下面付近に到達した油分の多くは、下面１１の表面（孔のない部分）やその近傍で、フィルタ１０の外周縁方向に弾き飛ばされる。その結果、円盤状のフィルタ１０の外周縁を取り囲むように備えられた油分捕集部材６０に、油分として捕集される。また、油分捕集部材６０は、本図が示すように、油分捕集部材の６０の下端に油溜まり６１を備えることが好ましい。油分捕集部材６０に油分として捕集された油分は油溜まり６１に垂れ、回収できる。メンテナンス時に油分捕集部材６０が取り外されると、下面１１が内面パネル５の内面とほぼ面一となるように設置されたフィルタ１０が現れ、清掃の際フード内面に付着した油分を拭き取る動作と一連に、フィルタ下面に付着した油分を拭き取ることができる。
【００１８】
また、図１（Ｃ）が示すレンジフード１’は、内面パネル５’が一段奥まって形成されており、フィルタ１０’は、フィルタ１０’の下面１１’が内面パネル５’の一段奥まった内面５２’とほぼ面一となるように設置されてもよい。これによれば、内面パネル５’の段差部分５１’が上記油分捕集部材の役割を果たすことができ、上記油分捕集部材は不要となる。その段差部分５１’の下端に油溜まり６１’を設けることで同様の機能を果たすことができる。これによると、メンテナンス時に油溜まり６１’が取り外されると、下面１１’が内面パネル５’の一段奥まった内面５２’とほぼ面一となるように設置されたフィルタ１０’が現れ、清掃の際フード内面に付着した油分を拭き取る動作と一連に、フィルタ下面に付着した油分を拭き取ることができる。
【００１９】
＜第二実施例＞
図２を参照し、本発明にかかるレンジフード１Ａについて説明する。図２（Ａ）は、通常運転時のレンジフード１Ａの断面図、図２（Ｂ）メンテナンス時のレンジフード１Ａの断面図である。なお、上記実施例との重複記載を避けるため、異なる点に焦点を当てて説明する。レンジフード１Ａの内面パネル５Ａは、上記実施例の内面パネル５’と同じ構成をしており、内面パネル５Ａは一段奥まった内面５２Ａを備える。
【００２０】
本実施例では、フィルタ１０Ａは、通常運転時には、上記実施例のように下面１１Ａが内面パネル５Ａの一段奥まった内面５２Ａとほぼ面一となるように設置されておらず、一段奥まった内面５２Ａより下方であり、かつ、内面パネルの全体的な内面５Ａより上方、即ち、上下方向において内面パネル５Ａの段差部分５１Ａのほぼ中央辺りに位置し、フィルタ１０Ａの下面１１Ａは、内面パネル５Ａより奥まって位置している。これによれば、内面パネル５Ａの段差部分５１Ａが油分捕集部材の役割を果たすことができる。
【００２１】
フィルタ１０Ａは、電動機６Ａとフィルタ１０Ａを一体的に上下方向に昇降する昇降手段３０Ａを有する。昇降手段３０Ａは、メンテナンス時には、内面パネル５Ａと下面１１Ａとが面一となるように、通常運転時より下方に降下させる。また、昇降手段３０Ａは、メンテナンス時から通常運転時になるとき、上記通常運転時の位置になるように、上方へ上昇させる。また、油溜まり６１Ａの下面は、内面パネル５Ａと面一になるように取り付けられている。ここで、メンテナンス時とは、運転停止時であってもメンテナンスモード設定時であってもよい。なお、メンテナンスモードとは、メンテナンスモードスイッチを押すことで、ファン４Ａや電動機６Ａの動作を停止すると共に、その他の駆動スイッチ（運転ＯＮ／ＯＦＦ等）が無効となり、誤操作によるレンジフードの運転を回避した状態で清掃やメンテナンスが行えるというモードである。これによれば、フィルタ１０Ａが通常運転時には内面パネル５Ａより奥まった位置で回転するため、フィルタ下面１１Ａに付着した油分がフード内面に油分が飛び散ることがなくなると共に、清掃の際フード内面５Ａと油溜まり６１Ａに付着した油分を拭き取る動作と一連に、フィルタ下面に付着した油分を拭き取ることができる。
【００２２】
＜第三実施例＞
図３を参照し、本発明にかかるレンジフード１Ｂについて説明する。図３（Ａ）は、通常運転時のレンジフード１Ｂの断面図、図３（Ｂ）メンテナンス時のレンジフード１Ｂの断面図である。なお、上記実施例との重複記載を避けるため、異なる点に焦点を当てて説明する。レンジフード１Ｂの内面パネル５Ｂは、上記第一実施例の内面パネル５と同じ構成をしている。レンジフード１Ｂは、連通口２０Ｂの側壁において、フィルタ１０Ｂの上面１２Ｂの周縁付近に当接部材４０Ｂを備える。当接部材４０Ｂは、通常運転時には側壁からわずかに突出している程度であり、フィルタ１０Ｂの上面１２Ｂには当接していない。
【００２３】
当接部材４０Ｂは、メンテナンス時には、通常運転時より側壁から長く突出することで、フィルタ１０Ｂの上面１２Ｂの周縁部に当接する。これによれば、フード内面５Ｂとフィルタ１０Ｂの下面１１Ｂに付着した油分を拭き取る際に、当接部材４０Ｂがフィルタの上面１２Ｂからフィルタ１０Ｂに当接することで、フィルタ１０Ｂの変形や傾斜が抑えられるので、しっかりと拭き取ることができ、清掃性が向上する。なお、当接部材４０Ｂの出し入れの方法は特に限定されず、手動であっても電動であってもよい。また、当接部材４０Ｂは、安定するので連通口２０Ｂの側壁の９０度毎に４か所設けることが好ましい。
【００２４】
また、フィルタ１０Ｂは、メンテナンス時に回転しないように固定する固定手段（図示せず）を備えてもよい。なお、固定手段は、機械的にフィルタ１０Ｂや電動機６Ｂの回転軸を固定してもよいし、無励磁作動型電磁ブレーキを採用してもよい。これによれば、拭き掃除の際にフィルタが回転しないため、拭き取り易くなり清掃性が向上する。
【００２５】
なお、本発明は、例示した実施例に限定するものではなく、特許請求の範囲の各項に記載された内容から逸脱しない範囲の構成による実施が可能である。即ち、本発明は、主に特定の実施形態に関して特に図示され、かつ説明されているが、本発明の技術的思想および目的の範囲から逸脱することなく、以上述べた実施形態に関し、形状、材質、数量、その他の詳細な構成において、当業者が様々な変形を加えることができるものである。従って、上記に開示した形状などを限定した記載は、本発明の理解を容易にするために例示的に記載したものであり、本発明を限定するものではないから、それらの形状等の限定の一部もしくは全部の限定を外した部材の名称での記載は、本発明に含まれるものである。
【符号の説明】
【００２６】
１      レンジフード
２      フード
３      送風機ボックス
４      ファン
５      内面パネル
５１    段差部分
５２    奥まって形成された内面
６      電動機
７      排気ダクト
１０    フィルタ
１１    下面
１２    上面
２０    連通口
３０    昇降手段
４０    当接部材
６０    油分捕集部材
６１    油溜まり
Ｄ１    空気の流れる方向
【図１】
2014178056.tif 000003
【図２】
2014178056.tif 000004
【図３】
2014178056.tif 000005